(57)【特許請求の範囲】
【請求項１】
分離線にて２つに分離した場合に真贋判定を可能とする偽造防止シートであって、
前記分離線がそれぞれ形成され、互いに重ね合わされた２枚のシートと、
前記２枚のシートの間に設けられた着色層とを有し、
前記分離線は、カット部とタイ部とからなり、前記２枚のシートが重ね合わされた状態において互いに重なり合うように前記２枚のシートにそれぞれ形成され、
前記着色層は、前記２枚のシートのタイ部が互いに対向する領域の少なくとも一部と、前記カット部に対向する領域及び当該着色層の外周部とで、互いに異なる色を有する偽造防止シート。
【請求項２】
分離線にて２つに分離した場合に真贋判定を可能とする偽造防止シートであって、
前記分離線がそれぞれ形成され、互いに重ね合わされた２枚のシートと、
前記２枚のシートの間に設けられた着色層とを有し、
前記分離線は、カット部とタイ部とからなり、前記２枚のシートが重ね合わされた状態において互いに重なり合うように前記２枚のシートにそれぞれ形成され、
前記着色層は、前記２枚のシートのタイ部が互いに対向する領域の少なくとも一部には設けられていない偽造防止シート。
【発明の詳細な説明】
【技術分野】
【０００１】
本発明は、偽造防止シートに関し、特に、使用時に分離線にて２つに分離されることを利用して真贋判定を可能とする技術に関する。
【背景技術】
【０００２】
従来より、プリペイドカードや各種入場チケット、商品券や株券等の有価証券においては、広く流通しており比較的容易に換金可能である等の理由から、偽造犯罪が頻発している。特に、近年では、カラーコピー機、スキャナー、カラープリンタ等の電子機器を利用した複写や読み取り、複製等の性能向上と普及に伴い、簡単には真正品と見分けられない偽造品が比較的容易に製造可能になってきており、偽造に対する対策が求められている。
【０００３】
上述したようなプリペイドカードや各種入場チケット、商品券や株券等の有価証券のうち、入場チケットにおいては、２つに分離可能とするミシン目等の分離線が設けられており、使用時にこの分離線にて２つに分離されるものが多い。そこで、このように２つに分離されることを利用して真贋判定を可能とするチケットが特許文献１に開示されている。この特許文献１に開示されたチケットは、２枚の白紙層間にこの白紙層と同一形状の着色紙層を挟み込んでこれらを互いに貼着しておき、このチケットを２枚の白紙層のそれぞれに形成されたハーフカットによって２つに分離した際、着色紙層が白紙層の分離に伴って破断し、分離端面に着色紙層を表出させて真贋判定を可能とするものである。
【先行技術文献】
【特許文献】
【０００４】
【特許文献１】特開２００１−１６２９７８号公報
【発明の概要】
【発明が解決しようとする課題】
【０００５】
しかしながら、特許文献１に開示されたチケットにおいては、真贋判定を可能とするために２枚の白紙層間に挟み込まれた着色紙層が白紙層と同一形状を有するものであるため、チケットが２つに分離される前の状態においてもその端面側から視認した場合、２枚の白紙層間に着色紙層が挟み込まれていることが認識されてしまい、そのような構成のチケットが偽造されてしまう虞れがある。また、チケットが２つに分離される前の状態においてチケットを撓ませた場合においても、ハーフカットが広がって着色紙層が視認されてしまい、同様の問題が生じてしまう。
【０００６】
本発明は、上述したような従来の技術が有する問題点に鑑みてなされたものであって、分離線にて２つに分離した場合に真贋判定を可能とする偽造防止シートにおいて、分離線にて分離可能としながらも分離線にて分離する前の状態においては真贋判定を行うための構造が認識されることがない偽造防止シートを提供することを目的とする。
【課題を解決するための手段】
【０００７】
上記目的を達成するために本発明は、
分離線にて２つに分離した場合に真贋判定を可能とする偽造防止シートであって、
前記分離線がそれぞれ形成され、互いに重ね合わされた２枚のシートと、
前記２枚のシートの間に設けられた着色層とを有し、
前記分離線は、カット部とタイ部とからなり、前記２枚のシートが重ね合わされた状態において互いに重なり合うように前記２枚のシートにそれぞれ形成され、
前記着色層は、前記２枚のシートのタイ部が互いに対向する領域の少なくとも一部と、前記カット部に対向する領域及び当該着色層の外周部とで、互いに異なる色を有する。
【０００８】
上記のように構成された本発明においては、２枚のシートにそれぞれ形成された分離線にて２つに分離した場合に、その分離端面において、２枚のシートの間に設けられた着色層による色が視認され、この着色層による色を確認することによって真贋判定が可能となるが、分離線がカット部とタイ部とからなり、着色層が、２枚のシートのタイ部が互いに対向する領域の少なくとも一部と外周部とで互いに異なる色を有するものであるため、分離線にて２つに分離した場合に、分離線にて分離する前の状態において偽造防止シートの端面側から視認した場合に着色層として視認される色とは異なる色がその分離端面にて視認されることとなり、また、着色層が、２枚のシートのタイ部が互いに対向する領域の少なくとも一部とカット部に対向する領域とで互いに異なる色を有するものであるため、分離線にて２つに分離した場合に、分離線にて分離する前の状態において分離線のカット部から視認される色とは異なる色がその分離端面にて視認されることとなり、それにより、分離線にて分離する前の状態においては、分離線にて２つに分離した場合に分離端面にて視認される色を認識することはできず、分離線にて分離可能としながらも分離線にて分離する前の状態においては真贋判定を行うための構造が認識されることがない。
【０００９】
また、分離線にて２つに分離した場合に真贋判定を可能とする偽造防止シートであって、
前記分離線がそれぞれ形成され、互いに重ね合わされた２枚のシートと、
前記２枚のシートの間に設けられた着色層とを有し、
前記分離線は、カット部とタイ部とからなり、前記２枚のシートが重ね合わされた状態において互いに重なり合うように前記２枚のシートにそれぞれ形成され、
前記着色層は、前記２枚のシートのタイ部が互いに対向する領域の少なくとも一部には設けられていない構成とすることも考えられる。
【００１０】
上記のように構成された本発明においては、２枚のシートにそれぞれ形成された分離線にて２つに分離した場合に、その分離端面において、２枚のシートの間に設けられた着色層による色が視認され、この着色層による色を確認することによって真贋判定が可能となるが、分離線がカット部とタイ部とからなり、着色層が、２枚のシートのタイ部が互いに対向する領域の少なくとも一部には設けられていないため、分離線にて２つに分離した場合に、着色層が設けられていない領域が視認されることとなり、それにより、分離線にて分離する前の状態において偽造防止シートの端面側から視認した場合に着色層として視認される色や分離線のカット部から視認される色とは異なる色がその分離端面にて視認されることとなる。そのため、分離線にて分離する前の状態においては、分離線にて２つに分離した場合に分離端面にて視認される色を認識することはできず、分離線にて分離可能としながらも分離線にて分離する前の状態においては真贋判定を行うための構造が認識されることがない。
【発明の効果】
【００１１】
以上説明したように本発明においては、分離線がそれぞれ形成され、互いに重ね合わされた２枚のシートと、２枚のシートの間に設けられた着色層とを有し、分離線が、カット部とタイ部とからなり、２枚のシートが重ね合わされた状態において互いに重なり合うように２枚のシートにそれぞれ形成され、着色層が、２枚のシートのタイ部が互いに対向する領域の少なくとも一部と、カット部に対向する領域及び外周部とで、互いに異なる色を有する構成としたため、分離線にて２つに分離した場合に、分離線にて分離する前の状態において偽造防止シートの端面側から視認した場合に着色層として視認される色やカット部から視認される色とは異なる色がその分離端面にて視認されることとなり、それにより、分離線にて分離する前の状態においては、分離線にて２つに分離した場合に分離端面にて視認される色を認識することはできず、分離線にて分離可能としながらも分離線にて分離する前の状態においては真贋判定を行うための構造が認識されることがない。
【００１２】
また、分離線がそれぞれ形成され、互いに重ね合わされた２枚のシートと、２枚のシートの間に設けられた着色層とを有し、分離線が、カット部とタイ部とからなり、２枚のシートが重ね合わされた状態において互いに重なり合うように２枚のシートにそれぞれ形成され、着色層が、２枚のシートのタイ部が互いに対向する領域の少なくとも一部には設けられていない構成としたものにおいては、分離線にて２つに分離した場合に、着色層が設けられていない領域が視認されることとなる。すなわち、分離線にて２つに分離した場合に、分離線にて分離する前の状態において偽造防止シートの端面側から視認した場合に着色層として視認される色やカット部から視認される色とは異なる色がその分離端面にて視認されることとなり、それにより、分離線にて分離する前の状態においては、分離線にて２つに分離した場合に分離端面にて視認される色を認識することはできず、分離線にて分離可能としながらも分離線にて分離する前の状態においては真贋判定を行うための構造が認識されることがない。
【図面の簡単な説明】
【００１３】
【図１】本発明の偽造防止シートの第１の実施の形態を示す図であり、（ａ）は表面から見た図、（ｂ）は裏面から見た図、（ｃ）は（ａ）に示したＡ―Ａ’断面図、（ｄ）は中間シートの構成を示す図である。
【図２】図１に示した偽造防止シートの使用方法及び作用について説明するための図であり、（ａ）は偽造防止シートを２つに分離する前の状態を示す外観斜視図、（ｂ）はミシン目が破断していく状態を示す外観斜視図、（ｃ）は偽造防止シートが２つに分離した場合の分離端面を示す図である。
【図３】図１に示した偽造防止シートをミシン目に沿って２つに分離する前の状態において撓ませた場合の作用を説明するための図であり、（ａ）は偽造防止シートを撓ませた状態を示す外観斜視図、（ｂ）は（ａ）に示したＡ部拡大図である。
【図４】本発明の偽造防止シートの第２の実施の形態を示す図であり、（ａ）は表面から見た図、（ｂ）は裏面から見た図、（ｃ）は（ａ）に示したＡ―Ａ’断面図、（ｄ）は中間シートの構成を示す図である。
【図５】図４に示した偽造防止シートの使用方法及び作用について説明するための図であり、（ａ）は偽造防止シートを２つに分離する前の状態を示す外観斜視図、（ｂ）はミシン目が破断していく状態を示す外観斜視図、（ｃ）は偽造防止シートが２つに分離した場合の分離端面を示す図である。
【図６】図４に示した偽造防止シートをミシン目に沿って２つに分離する前の状態において撓ませた場合の作用を説明するための図であり、（ａ）は偽造防止シートを撓ませた状態を示す外観斜視図、（ｂ）は（ａ）に示したＡ部拡大図である。
【図７】本発明の偽造防止シートの第３の実施の形態を示す図であり、（ａ）は表面から見た図、（ｂ）は裏面から見た図、（ｃ）は（ａ）に示したＡ―Ａ’断面図、（ｄ）は中間シートの構成を示す図である。
【図８】図７に示した偽造防止シートをミシン目に沿って２つに分離した場合の分離端面を示す図である。
【発明を実施するための形態】
【００１４】
以下に、本発明の実施の形態について図面を参照して説明する。
【００１５】
（第１の実施の形態）
図１は、本発明の偽造防止シートの第１の実施の形態を示す図であり、（ａ）は表面から見た図、（ｂ）は裏面から見た図、（ｃ）は（ａ）に示したＡ―Ａ’断面図、（ｄ）は中間シート２０の構成を示す図である。
【００１６】
本形態は図１に示すように、同一形状を有する２枚のシート１０ａ，１０ｂが重ね合わされ、この２枚のシート１０ａ，１０ｂの間に着色層である中間シート２０が挟み込まれ、これらが粘着剤（不図示）によって互いに貼着されて構成されている。
【００１７】
２枚のシート１０ａ，１０ｂのうち一方のシート１０ａは、その表面にサーマルプリンタによって情報が印字可能な感熱紙等からなり、本体片１３ａともぎり片１４ａとが分離線となるミシン目１１ａを介して分離可能に連接している。そして、その表面には、サーマルプリンタ等によってチケット情報等が印字されている。また、ミシン目１１ａは、カット部１５ａとタイ部１６ａとが交互に並んで構成されている。
【００１８】
また、２枚のシート１０ａ，１０ｂのうち他方のシート１０ｂは、不透明度の高いコート紙等からなり、本体片１３ｂともぎり片１４ｂとが分離線となるミシン目１１ｂを介して分離可能に連接している。なお、ミシン目１１ｂは、カット部１５ｂとタイ部１６ｂとが交互に並んで構成されている。
【００１９】
シート１０ａに形成されたミシン目１１ａと、シート１０ｂに形成されたミシン目１１ｂとは、ミシン目１１ａ，１１ｂが延びる方向についてカット部１５ａ，１５ｂとタイ部１６ａ，１６ｂのそれぞれが、同一の幅及び同一のピッチで形成されており、それにより、２枚のシート１０ａ，１０ｂが重ね合わされた状態においては、ミシン目１１ａのカット部１５ａとミシン目１１ｂのカット部１５ｂとが重なり合うとともに、ミシン目１１ａのタイ部１６ａとミシン目１１ｂのタイ部１６ｂとが重なり合っている。
【００２０】
中間シート２０は、全体がシート１０ａ，１０ｂとは異なる赤色に着色されており、その一部に複数の貫通穴２１が形成されている。この貫通穴２１は、中間シート２０が２枚のシート１０ａ，１０ｂに挟み込まれた状態においてミシン目１１ａ，１１ｂのタイ部１６ａ，１６ｂに対向する領域にそれぞれ形成されており、それにより、中間シート２０は、２枚のシート１０ａ，１０ｂ間に設けられているものの、ミシン目１１ａ，１１ｂのタイ部１６ａ，１６ｂに対向する領域には設けられていない。また、中間シート２０が２枚のシート１０ａ，１０ｂに挟み込まれた状態においてミシン目１１ａ，１１ｂのカット部１５ａ，１５ｂに対向する領域には、同様のカット部２２が形成されている。なお、中間シート２０の色は、シート１０ａ，１０ｂの色と異なるものであれば赤色に限らない。
【００２１】
また、シート１０ａの厚さは、その表面側から透けて貫通穴２１が視認可能とならない程度の１００μｍ〜１２０μｍが好ましい。
【００２２】
以下に、上記のように構成された偽造防止シート１の使用方法及び作用について説明する。
【００２３】
図２は、図１に示した偽造防止シート１の使用方法及び作用について説明するための図であり、（ａ）は偽造防止シート１を２つに分離する前の状態を示す外観斜視図、（ｂ）はミシン目１１ａ，１１ｂが破断していく状態を示す外観斜視図、（ｃ）は偽造防止シート１が２つに分離した場合の分離端面を示す図である。
【００２４】
図１に示した偽造防止シート１を使用する場合は、２枚のシート１０ａ，１０ｂを、本体片１３ａ，１３ｂともぎり片１４ａ，１４ｂとに中間シート２０とともに分離することになる。
【００２５】
図１に示した偽造防止シート１において、２枚のシート１０ａ，１０ｂを、本体片１３ａ，１３ｂともぎり片１４ａ，１４ｂとに中間シート２０とともに分離する前の状態においては、偽造防止シート１を端面側から視認した場合、図２（ａ）に示すように、２枚のシート１０ａ，１０ｂ間に中間シート２０の赤色が視認されるものの、中間シート２０の貫通穴２１は偽造防止シート１の端面には表出しておらず、そのため、中間シート２０は赤色の一色で視認されることになる。
【００２６】
そして、図２（ａ）に示すような状態から、２枚のシート１０ａ，１０ｂを、本体片１３ａ，１３ｂともぎり片１４ａ，１４ｂとに中間シート２０とともに分離しようとすると、２枚のシート１０ａ，１０ｂのそれぞれに形成されたミシン目１１ａ，１１ｂが互いに重なり合っているため、２枚のシート１０ａ，１０ｂを、本体片１３ａ，１３ｂともぎり片１４ａ，１４ｂとに中間シート２０とともに分離しようとする力は２つのミシン目１１ａ，１１ｂに作用し、それにより、図２（ｂ）に示すように、２枚のシート１０ａ，１０ｂ及びこれらに挟み込まれた中間シート２０が互いに貼着された状態でミシン目１１ａ，１１ｂに沿って破断していき、２枚のシート１０ａ，１０ｂがそれぞれ、ミシン目１１ａ，１１ｂによって本体片１３ａ，１３ｂともぎり片１４ａ，１４ｂとに分離し、中間シート２０もこれら本体片１３ａ，１３ｂに対向する領域ともぎり片１４ａ，１４ｂに対向する領域とに分離することになる。
【００２７】
２枚のシート１０ａ，１０ｂがそれぞれ、ミシン目１１ａ，１１ｂによって本体片１３ａ，１３ｂともぎり片１４ａ，１４ｂとに分離するとともに、中間シート２０がこれら本体片１３ａ，１３ｂに対向する領域ともぎり片１４ａ，１４ｂに対向する領域とに分離すると、中間シート２０には、ミシン目１１ａ，１１ｂのタイ部１６ａ，１６ｂに対向する領域に貫通穴２１がそれぞれ形成されているため、図２（ｃ）に示すように、中間シート２０の本体片１３ａ，１３ｂに対向する領域ともぎり片１４ａ，１４ｂに対向する領域のそれぞれの分離端面において、中間シート２０に形成された貫通穴２１が表出する。そして、中間シート２０の貫通穴２１以外の領域が赤色に着色されているため、中間シート２０の本体片１３ａ，１３ｂに対向する領域ともぎり片１４ａ，１４ｂに対向する領域のそれぞれの分離端面においては、中間シート２０による赤色が、ミシン目１１ａ，１１ｂが延びる方向に断続的に視認されることになる。
【００２８】
このように、図１に示した偽造防止シート１をミシン目１１ａ，１１ｂに沿って２つに分離すると、中間シート２０の本体片１３ａ，１３ｂに対向する領域ともぎり片１４ａ，１４ｂに対向する領域のそれぞれの分離端面において、中間シート２０による赤色が、ミシン目１１ａ，１１ｂが延びる方向に断続的に視認されることになり、それにより、偽造防止シート１の真贋判定が可能となる。ここで、上述したように、２枚のシート１０ａ，１０ｂを、本体片１３ａ，１３ｂともぎり片１４ａ，１４ｂとに中間シート２０とともに分離する前の状態においては、偽造防止シート１を端面側から視認した場合、中間シート２０は赤色の一色で視認されるため、偽造防止シート１をミシン目１１ａ，１１ｂに沿って２つに分離した場合、偽造防止シート１を２つに分離する前の状態において偽造防止シート１を端面側から視認した場合とは異なる色がその分離端面にて視認されることとなり、それにより、偽造防止シート１を２つに分離する前の状態においては、偽造防止シート１の真贋判定を行うための構造が認識されてしまうことがなくなる。
【００２９】
次に、図１に示した偽造防止シート１を上述したように２つに分離する前の状態において撓ませた場合の作用について説明する。
【００３０】
図３は、図１に示した偽造防止シート１をミシン目１１ａ，１１ｂに沿って２つに分離する前の状態において撓ませた場合の作用を説明するための図であり、（ａ）は偽造防止シート１を撓ませた状態を示す外観斜視図、（ｂ）は（ａ）に示したＡ部拡大図である。
【００３１】
本形態における偽造防止シート１を、図３（ａ）に示すようにミシン目１１ａが形成された部分が突出する頂点となるようにシート１０ａを外側として撓ませた場合、図３（ｂ）に示すように、ミシン目１１ａのカット部１５ａ及び中間シート２０のカット部２２が広がり、カット部１５ａ内において、２枚のシート１０ａ，１０ｂ及び中間シート２０の積層状態が視認可能となる。
【００３２】
ところが、２枚のシート１０ａ，１０ｂに挟み込まれた中間シート２０に形成された貫通穴２１は、ミシン目１１ａ，１１ｂのタイ部１６ａ，１６ｂに対向する領域にそれぞれ形成されているため、図３（ｂ）に示すように、カット部１５ａ内では貫通穴２１は視認されない。
【００３３】
そのため、図１に示した偽造防止シート１をミシン目１１ａ，１１ｂに沿って２つに分離する前の状態において撓ませた場合は、シート１０ａに形成されたミシン目１１ａのカット部１５ａや、シート１０ｂに形成されたミシン目１１ｂのカット部１５ｂの内部において中間シート２０が赤色の一色で視認されることとなる一方、偽造防止シート１をミシン目１１ａ，１１ｂに沿って２つに分離した場合は、偽造防止シート１を２つに分離する前の状態においてカット部１５ａ，１５ｂ内にて視認された色とは異なる色がその分離端面にて視認されることとなり、それにより、偽造防止シート１をカット部１５ａ，１５ｂによって分離可能としながらも、偽造防止シート１を２つに分離する前の状態においては、偽造防止シート１の真贋判定を行うための構造が認識されてしまうことがなくなる。
【００３４】
このように、図１に示した偽造防止シート１をミシン目１１ａ，１１ｂに沿って２つに分離する前の状態においては、偽造防止シート１の端面側から視認した場合であっても、また、偽造防止シート１を撓ませた場合であっても、偽造防止シート１をミシン目１１ａ，１１ｂに沿って２つに分離した場合にその分離端面において視認される色を認識することができず、このような構成の偽造チケットが製造されてしまうことを回避することができる。
【００３５】
（第２の実施の形態）
図４は、本発明の偽造防止シートの第２の実施の形態を示す図であり、（ａ）は表面から見た図、（ｂ）は裏面から見た図、（ｃ）は（ａ）に示したＡ―Ａ’断面図、（ｄ）は中間シート１２０の構成を示す図である。
【００３６】
本形態の偽造防止シートは図４に示すように、図１に示したものに対して、２枚のシート１１０ａ，１１０ｂ間に設けられた着色層となる中間シート１２０の構成が異なるものである。
【００３７】
本形態の偽造防止シート１０１の中間シート１２０は、中間シート１２０が２枚のシート１１０ａ，１１０ｂに挟み込まれた状態においてミシン目１１１ａ，１１１ｂのタイ部１１６ａ，１１６ｂに対向する領域がそれぞれ赤色に着色されることにより着色部１２１となっており、他の領域は、例えば、シート１１０ａ，１１０ｂと同様の色、または赤色とは異なる色となっている。また、中間シート１２０が２枚のシート１１０ａ，１１０ｂに挟み込まれた状態においてミシン目１１１ａ，１１１ｂのカット部１１５ａ，１１５ｂに対向する領域には、同様のカット部１２２が形成されている。なお、着色部１２１の色は、中間シート１２０の他の領域の色と異なるものであれば赤色に限らない。
【００３８】
以下に、上記のように構成された偽造防止シート１０１の使用方法及び作用について説明する。
【００３９】
図５は、図４に示した偽造防止シート１０１の使用方法及び作用について説明するための図であり、（ａ）は偽造防止シート１０１を２つに分離する前の状態を示す外観斜視図、（ｂ）はミシン目１１１ａ，１１１ｂが破断していく状態を示す外観斜視図、（ｃ）は偽造防止シート１０１が２つに分離した場合の分離端面を示す図である。
【００４０】
図４に示した偽造防止シート１０１を使用する場合は、２枚のシート１１０ａ，１１０ｂを、本体片１１３ａ，１１３ｂともぎり片１１４ａ，１１４ｂとに中間シート１２０とともに分離することになる。
【００４１】
図４に示した偽造防止シート１０１において、２枚のシート１１０ａ，１１０ｂを、本体片１１３ａ，１１３ｂともぎり片１１４ａ，１１４ｂとに中間シート１２０とともに分離する前の状態においては、偽造防止シート１０１を端面側から視認した場合、図５（ａ）に示すように、２枚のシート１１０ａ，１１０ｂ間に挟み込まれた中間シート１２０は視認されるものの、中間シート１２０に設けられた着色部１２１は偽造防止シート１０１の端面には表出しておらず、着色部１２１による赤色は視認されない。
【００４２】
そして、図５（ａ）に示すような状態から、２枚のシート１１０ａ，１１０ｂを、本体片１１３ａ，１１３ｂともぎり片１１４ａ，１１４ｂとに中間シート１２０とともに分離しようとすると、２枚のシート１１０ａ，１１０ｂのそれぞれに形成されたミシン目１１１ａ，１１１ｂが互いに重なり合っているため、２枚のシート１１０ａ，１１０ｂを、本体片１１３ａ，１１３ｂともぎり片１１４ａ，１１４ｂとに中間シート１２０とともに分離しようとする力は２つのミシン目１１１ａ，１１１ｂに作用し、それにより、図５（ｂ）に示すように、２枚のシート１１０ａ，１１０ｂ及びこれらに挟み込まれた中間シート１２０が互いに貼着された状態でミシン目１１１ａ，１１１ｂに沿って破断していき、２枚のシート１１０ａ，１１０ｂがそれぞれ、ミシン目１１１ａ，１１１ｂによって本体片１１３ａ，１１３ｂともぎり片１１４ａ，１１４ｂとに分離し、中間シート１２０もこれら本体片１１３ａ，１１３ｂに対向する領域ともぎり片１１４ａ，１１４ｂに対向する領域とに分離することになる。
【００４３】
２枚のシート１１０ａ，１１０ｂがそれぞれ、ミシン目１１１ａ，１１１ｂによって本体片１１３ａ，１１３ｂともぎり片１１４ａ，１１４ｂとに分離するとともに、中間シート１２０がこれら本体片１１３ａ，１１３ｂに対向する領域ともぎり片１１４ａ，１１４ｂに対向する領域とに分離すると、中間シート１２０には、ミシン目１１１ａ，１１１ｂのタイ部１１６ａ，１１６ｂに対向する領域に着色部１２１がそれぞれ形成されているため、図５（ｃ）に示すように、中間シート１２０の本体片１１３ａ，１１３ｂに対向する領域ともぎり片１１４ａ，１１４ｂに対向する領域のそれぞれの分離端面において、中間シート１２０に形成された着色部１２１が視認されることになる。
【００４４】
このように、図４に示した偽造防止シート１０１をミシン目１１１ａ，１１１ｂに沿って２つに分離すると、中間シート１２０の本体片１１３ａ，１１３ｂに対向する領域ともぎり片１１４ａ，１１４ｂに対向する領域のそれぞれの分離端面において着色部１２１による赤色が視認されることになり、それにより、偽造防止シート１０１の真贋判定が可能となる。ここで、上述したように、２枚のシート１１０ａ，１１０ｂを、本体片１１３ａ，１１３ｂともぎり片１１４ａ，１１４ｂとに中間シート１２０とともに分離する前の状態においては、偽造防止シート１０１を端面側から視認した場合、中間シート１２０は着色部１２１による赤色とは異なる色で視認されるため、偽造防止シート１０１をミシン目１１１ａ，１１１ｂに沿って２つに分離した場合、偽造防止シート１０１を２つに分離する前の状態において偽造防止シート１０１を端面側から視認した場合とは異なる色がその分離端面にて視認されることとなり、それにより、偽造防止シート１０１を２つに分離する前の状態においては、偽造防止シート１０１の真贋判定を行うための構造が認識されてしまうことがなくなる。
【００４５】
次に、図４に示した偽造防止シート１０１を上述したように２つに分離する前の状態において撓ませた場合の作用について説明する。
【００４６】
図６は、図４に示した偽造防止シート１０１をミシン目１１１ａ，１１１ｂに沿って２つに分離する前の状態において撓ませた場合の作用を説明するための図であり、（ａ）は偽造防止シート１０１を撓ませた状態を示す外観斜視図、（ｂ）は（ａ）に示したＡ部拡大図である。
【００４７】
本形態における偽造防止シート１０１を、図６（ａ）に示すようにミシン目１１１ａが形成された部分が突出する頂点となるようにシート１１０ａを外側として撓ませた場合、図６（ｂ）に示すように、ミシン目１１１ａのカット部１１５ａ及び中間シート１２０のカット部１２２が広がり、カット部１１５ａ内において、２枚のシート１１０ａ，１１０ｂ及び中間シート１２０の積層状態が視認可能となる。
【００４８】
ところが、２枚のシート１１０ａ，１１０ｂに挟み込まれた中間シート１２０に設けられた着色部１２１は、ミシン目１１１ａ，１１１ｂのタイ部１１６ａ，１１６ｂに対向する領域にそれぞれ形成されているため、図６（ｂ）に示すように、カット部１１５ａ内では着色部１２１による赤色は視認されない。
【００４９】
そのため、図４に示した偽造防止シート１０１をミシン目１１１ａ，１１１ｂに沿って２つに分離する前の状態において撓ませた場合は、シート１１０ａに形成されたミシン目１１１ａのカット部１１５ａや、シート１１０ｂに形成されたミシン目１１１ｂのカット部１１５ｂの内部において着色部１２１による赤色が視認されずに中間シート１２０の他の領域の色が視認される一方、偽造防止シート１０１をミシン目１１１ａ，１１１ｂに沿って２つに分離した場合は、偽造防止シート１０１を２つに分離する前の状態においてカット部１１５ａ，１１５ｂ内にて視認された色とは異なる赤色がその分離端面にて視認されることとなり、それにより、偽造防止シート１０１をカット部１１５ａ，１１５ｂによって分離可能としながらも、偽造防止シート１０１を２つに分離する前の状態においては、偽造防止シート１０１の真贋判定を行うための構造が認識されてしまうことがなくなる。
【００５０】
このように、図４に示した偽造防止シート１０１をミシン目１１１ａ，１１１ｂに沿って２つに分離する前の状態においては、偽造防止シート１０１の端面側から視認した場合であっても、また、偽造防止シート１０１を撓ませた場合であっても、偽造防止シート１０１をミシン目１１１ａ，１１１ｂに沿って２つに分離した場合にその分離端面において視認される色を認識することができず、このような構成の偽造チケットが製造されてしまうことを回避することができる。
【００５１】
なお、上述した２つの実施の形態においては、ミシン目１１ａ，１１１ａのカット部１５ａ，１１５ａとミシン目１１ｂ，１１１ｂのカット部１５ｂ，１１５ｂとが重なり合うとともに、ミシン目１１ａ，１１１ａのタイ部１６ａ，１１６ａとミシン目１１ｂ，１１１ｂのタイ部１６ｂ，１１６ｂとが重なり合っているが、ミシン目１１ａ，１１１ａのタイ部１６ａ，１１６ａとミシン目１１ｂ，１１１ｂのタイ部１６ｂ，１１６ｂとが少なくともその一部にて重なり合い、中間シート２０，１２０のその領域の色が他の領域の色と異なっていればよい。また、ミシン目１１ａ，１１１ａのタイ部１６ａ，１１６ａとミシン目１１ｂ，１１１ｂのタイ部１６ｂ，１１６ｂとが互いに対向する領域の少なくとも一部と、ミシン目１１ａ，１１１ａのカット部１５ａ，１１５ａとミシン目１１ｂ，１１１ｂのカット部１５ｂ，１１５ｂに対向する領域及び中間シート２０，１２０の外周部とが互いに異なる色となっていれば、中間シート２０，１２０の他の領域の色は任意に設定してもよい。
【００５２】
（第３の実施の形態）
図７は、本発明の偽造防止シートの第３の実施の形態を示す図であり、（ａ）は表面から見た図、（ｂ）は裏面から見た図、（ｃ）は（ａ）に示したＡ―Ａ’断面図、（ｄ）は中間シート２２０の構成を示す図である。
【００５３】
本形態の偽造防止シートは図７に示すように、図１に示したものに対して、２枚のシート２１０ａ，２１０ｂ間に設けられた着色層となる中間シート２２０の構成が異なるものである。
【００５４】
本形態の偽造防止シート２０１の中間シート２２０は、その全体が赤色に着色されているものの、中間シート２２０が２枚のシート２１０ａ，２１０ｂに挟み込まれた状態においてミシン目２１１ａ，２１１ｂのタイ部２１６ａ，２１６ｂに対向する領域のみが着色されておらずに非着色部２２１となっており、さらに、その領域においても一部が赤色に着色されていることにより、１つのタイ部２１６ａ，２１６ｂに対向する領域において非着色部２２１が複数に分割されている領域が存在している。
【００５５】
図８は、図７に示した偽造防止シート２０１をミシン目２１１ａ，２１１ｂに沿って２つに分離した場合の分離端面を示す図である。
【００５６】
図７に示した偽造防止シート２０１をミシン目２１１ａ，２１１ｂに沿って２つに分離すると、図８に示すように、本体片２１３ａ，２１３ｂ側と、もぎり片２１４ａ，２１４ｂ側とのそれぞれにおいて、中間シート２２０のタイ部２１６ａ，２１６ｂに対向する領域にて非着色部２２１が視認可能となる。そのため、この非着色部２２１が視認されているかどうかによって偽造防止シート２０１の真贋判定が可能となる。さらに、本形態における非着色部２２１は、中間シート２２０のタイ部２１６ａ，２１６ｂに対向する領域のそれぞれにおいても、一部が赤色に着色されていることにより非着色部２２１が複数に分割されているものが存在しており、このように分割された非着色部２２１によっても、さらには、その分割数等によっても偽造防止シート２０１の真贋判定が可能となる。
【００５７】
なお、上述した第２及び第３の実施の形態においては、２枚のシート１１０ａ，１１０ｂ，２１０ａ，２１０ｂ間に設けられる着色層として、着色部１２１あるいは非着色部２２１を有する中間シート１２０，２２０を例に挙げて説明したが、２枚のシート１１０ａ，１１０ｂ，２１０ａ，２１０ｂの少なくとも一方に印刷を施すことにより着色層を形成し、その着色層によって着色部１２１や非着色部２２１を構成することも考えられる。その場合、図４に示した偽造防止シート１０１においては、着色部１２１とそれ以外の領域とを互いに異なる色によって印刷を施して２枚のシート１１０ａ，１１０ｂ間の全面に着色層を設けたり、着色部１２１のみに印刷を施して２枚のシート１１０ａ，１１０ｂ間の一部に着色層を設けたりし、また、図７に示した偽造防止シート２０１においては、非着色部２２１とそれ以外の領域とを互いに異なる色によって印刷を施して２枚のシート２１０ａ，２１０ｂ間の全面に着色層を設けたり、非着色部２２１以外の領域のみに印刷を施して２枚のシート２１０ａ，２１０ｂ間の一部に着色層を設けたりすることになる。
【００５８】
また、上述した３つの実施の形態においては、中間シート２０，１２０，２２０のうち、２枚のシート１０ａ，１０ｂ，１１０ａ，１１０ｂ，２１０ａ，２１０ｂに挟み込まれた状態においてミシン目１１ａ，１１ｂ，１１１ａ，１１１ｂ，２１１ａ，２１１ｂのカット部１５ａ，１５ｂ，１１５ａ，１１５ｂ，２１５ａ，２１５ｂに対向する領域に、同様のカット部２２，１２２，２２２が形成されているが、これは、例えば、２枚のシート１０ａ，１０ｂ，１１０ａ，１１０ｂ，２１０ａ，２１０ｂと中間シート２０，１２０，２２０とが積層された後に、カット部１５ａ，１５ｂ，１１５ａ，１１５ｂ，２１５ａ，２１５ｂを形成した場合に、中間シート２０，１２０，２２０にもカット部２２，１２２，２２２が同時に形成されることによるものであって、２枚のシート１０ａ，１０ｂ，１１０ａ，１１０ｂ，２１０ａ，２１０ｂと中間シート２０，１２０，２２０とを積層する前に、２枚のシート１０ａ，１０ｂ，１１０ａ，１１０ｂ，２１０ａ，２１０ｂにカット部１５ａ，１５ｂ，１１５ａ，１１５ｂ，２１５ａ，２１５ｂを形成する場合は、中間シート２０，１２０，２２０にカット部が形成されていない構成とすることもできる。
【符号の説明】
【００５９】
１，１０１，２０１    偽造防止シート
１０ａ，１０ｂ，１１０ａ，１１０ｂ，２１０ａ，２１０ｂ    シート
１１ａ，１１ｂ，１１１ａ，１１１ｂ，２１１ａ，２１１ｂ    ミシン目
１３ａ，１３ｂ，１１３ａ，１１３ｂ，２１３ａ，２１３ｂ    本体片
１４ａ，１４ｂ，１１４ａ，１１４ｂ，２１４ａ，２１４ｂ    もぎり片
１５ａ，１５ｂ，２２，１１５ａ，１１５ｂ，１２２，２１５ａ，２１５ｂ，２２２    カット部
１６ａ，１６ｂ，１１６ａ，１１６ｂ，２１６ａ，２１６ｂ    タイ部
２０，１２０，２２０    中間シート
２１    貫通穴
１２１    着色部
２２１    非着色部
【図１】
0005383394.tif 000002
【図２】
0005383394.tif 000003
【図３】
0005383394.tif 000004
【図４】
0005383394.tif 000005
【図５】
0005383394.tif 000006
【図６】
0005383394.tif 000007
【図７】
0005383394.tif 000008
【図８】
0005383394.tif 000009